(57)【特許請求の範囲】
【請求項１】
正面視略三角形状の胴部と、該胴部の頂部に立設するノズルとを一体成形してなり、前記胴部は、山折りに折畳み可能な前後対称の第１の折目を介して左右対称の側部と底部とに区分し、前記各側部は、斜め下向きの尾根部と、該尾根部の両側に形成する前後の斜面とを含むとともに、谷折りに折畳み可能な左右対称の第２の折目を介して上下に区分し、前記底部は、左右に長い長方形の接地部と、該接地部の長辺側、短辺側にそれぞれ形成する前後の斜面、左右の斜面とを含み、前記胴部は、前記底部を支えて前記各側部を押圧することにより、前記各側部の下側をそれぞれ前記底部の左半部上または右半部上に密接させるようにして片手で一挙動により折畳み操作可能であることを特徴とする浣腸容器。
【請求項２】
前記第１の折目は、前記ノズルの基部から前記胴部の前後の分岐点まで垂下して斜め下向きに分岐し、前記各側部の下端と前記底部の左右の先端との接合部分を介して前後に連続することを特徴とする請求項１記載の浣腸容器。
【請求項３】
前記第２の折目は、それぞれ前記各側部を横切り、前記各分岐点の近傍にまで連続することを特徴とする請求項２記載の浣腸容器。
【請求項４】
前記各側部は、左右に対称的に膨出させることを特徴とする請求項１から請求項３のいずれか一項に記載の浣腸容器。
【発明の詳細な説明】
【技術分野】
【０００１】
この発明は、残液量が少なく、使い勝手を向上させることができる浣腸容器に関する。
【背景技術】
【０００２】
五面体の角錐体の胴部の頭頂部にノズルを立設して形成する浣腸容器が提案されている（特許文献１）。
【０００３】
胴部は、左右の平面状の側面と、前後の略三角形状のつま面と、長方形の底面とを有する。また、前後のつま面には、それぞれ逆Ｙ字状の折目が形成され、底面には、前後方向に直線状の折目が形成されている。なお、各折目は、いずれも谷折りに折畳み可能である。そこで、この浣腸容器は、両側面を手指で押圧すると、各つま面、底面がいずれも内側に折り込まれ、ノズルを介して内部の薬液の全量を排出させることができる上、両側面の押圧力をなくしても原形状に復帰することがなく、肛門内に注入した薬液を逆吸引するおそれがない。
【先行技術文献】
【特許文献】
【０００４】
【特許文献１】特開昭６１−２１３０６０号公報
【発明の概要】
【発明が解決しようとする課題】
【０００５】
かかる従来技術によるときは、五面体の角錐体の胴部は、左右の側面に押圧力を加えるだけでは、各折目を正しく内側に折り込むことができず、折畳み動作の初期において前後の各つま面や底面を軽く内側に押し込むことが必要であって、使い勝手がよくない上、角錐体の胴部は、完全な平板状に折り畳むことが難しく、残液量が過大になりがちであるという問題があった。
【０００６】
そこで、この発明の目的は、かかる従来技術の問題に鑑み、胴部を左右対称の側部と底部とに区分することによって、残液量を一層少なくして、良好な使い勝手を実現することができる浣腸容器を提供することにある。
【課題を解決するための手段】
【０００７】
かかる目的を達成するためのこの発明の構成は、正面視略三角形状の胴部と、胴部の頂部に立設するノズルとを一体成形してなり、胴部は、山折りに折畳み可能な前後対称の第１の折目を介して左右対称の側部と底部とに区分し、各側部は、斜め下向きの尾根部と、尾根部の両側に形成する前後の斜面とを含むとともに、谷折りに折畳み可能な左右対称の第２の折目を介して上下に区分し、底部は、左右に長い長方形の接地部と、接地部の長辺側、短辺側にそれぞれ形成する前後の斜面、左右の斜面とを含み、胴部は、底部を支えて各側部を押圧することにより、各側部の下側をそれぞれ底部の左半部上または右半部上に密接させるようにして片手で一挙動により折畳み操作可能であることをその要旨とする。
【０００８】
なお、第１の折目は、ノズルの基部から胴部の前後の分岐点まで垂下して斜め下向きに分岐し、各側部の下端と底部の左右の先端との接合部分を介して前後に連続することができ、第２の折目は、それぞれ各側部を横切り、各分岐点の近傍にまで連続することができる。
【０００９】
また、各側部は、左右に対称的に膨出させてもよい。
【発明の効果】
【００１０】
かかる発明の構成によるときは、胴部は、第１の折目を介して左右対称の側部と底部とに区分され、各側部は、第２の折目を介して上下に区分されており、各側部の下側をそれぞれ底部上に密接させるようにして折り畳むことにより、内部の薬液量の全量をノズルから排出させることができる。なお、このとき、各側部の上側は、互いに密接する方向に変形させる。また、胴部は、患者自身が自分で使用する場合であっても、片手で一挙動により容易に折畳み操作が可能であり、残液量が実質的にゼロの薬液の注入動作が可能であって、極めて良好な使い勝手を実現することができる。ただし、ここでいう「密接」とは、十分に近接する場合を含むものとする。なお、胴部は、手指により前後方向に押圧して弾性変形させることにより、内部の薬液量の一部のみを排出させることも容易である。
【００１１】
山折りに折畳み可能な第１の折目は、ノズルの基部から胴部の前後の分岐点まで垂下させて斜め下向きに分岐させることにより、胴部を左右の側部と底部とに明確に区分することができる。このとき、分岐点より上の分岐前の第１の折目の左右と、分岐点より下の分岐後の第１の折目の上方とには、左右の側部に属する前または後の斜面が形成され、分岐点より下の分岐後の第１の折目の下方には、底部に属する前または後の斜面が形成されている。
【００１２】
谷折りに折畳み可能な第２の折目は、左右の側部を横切ることにより、第１の折目と相俟って、胴部を所定の形態に容易に折り畳むことができる。各側部は、第２の折目を介し、上側、下側の相対角度を約９０°または９０°未満の鋭角に折ることができるからである。
【００１３】
各側部は、第２の折目の下側の実効長さを底部の実効長さの１／２相当に設定することにより、各側部の下側を底部の左半部上または右半部上に正しく密接させるようにして折り畳むことができ、残液量を最少にすることができる。なお、このとき、各側部は、第２の折目を介して鋭角に折ることにより、原形状に復元することがなく、排出後の薬液を逆吸引するおそれがない。ただし、ここでいう、実効長さとは、側部または底部が形成する曲面に沿う長さ、すなわち曲面の側部または底部を平面状に伸展させたときの長さをいう。
【図面の簡単な説明】
【００１４】
【図１】全体斜視図
【図２】全体構成説明図
【図３】全体断面説明図
【図４】要部拡大断面動作説明図
【図５】使用状態説明図（１）
【図６】使用状態説明図（２）
【図７】使用状態説明図（３）
【図８】他の実施の形態を示す構成説明図
【図９】使用状態説明図（４）
【発明を実施するための形態】
【００１５】
以下、図面を以って発明の実施の形態を説明する。
【００１６】
浣腸容器は、正面視略三角形状の胴部１０と、胴部１０の頂部に立設するノズル２１とを一体成形してなる（図１、図２）。ただし、図２（Ａ）〜（Ｃ）は、それぞれ正面図、側面図、底面図である。
【００１７】
胴部１０、ノズル２１は、適切な弾性を有する熱可塑性樹脂を使用し、たとえばブロー成形により中空状に一体成形されている（図１、図３）。ただし、図３（Ａ）、（Ｂ）は、それぞれ図２（Ａ）、（Ｂ）の中央縦断面図である。
【００１８】
ノズル２１の上端は、ドーム状に丸められ、ノズル孔２１ａが開口されている。また、ノズル２１の下部には、ノズル２１の挿入長さを制限する鍔２１ｂが形成されている。
【００１９】
ノズル２１には、着脱自在のキャップ２２が付属している。キャップ２２の外周下部には、滑り止め用のローレット２２ａが形成され、内部天面には、ノズル２１のノズル孔２１ａに適合する突栓２２ｂが垂設されている。
【００２０】
胴部１０は、前後対称の第１の折目１１、１１を介し、左右対称の側部１２、１２と、底部１３とに区分されている（図１、図２）。また、左右の側部１２、１２は、左右対称の第２の折目１４、１４を介してそれぞれ上下に区分されている。第１の折目１１、１１は、それぞれノズル２１の基部から胴部１０の前または後の分岐点１１ａまで垂下し、斜め下向きに分岐した上、各側部１２の下端と底部１３の左右の先端との接合部分を介して前後に連続している。第２の折目１４、１４は、それぞれ各側部１２を横切り、第１の折目１１、１１の前後の分岐点１１ａ、１１ａの近傍にまで連続している。
【００２１】
各側部１２は、斜め下向きの尾根部１２ａと、湾曲する前後の屈曲線１２ｃ、１２ｃを介して尾根部１２ａの両側に形成する前後の斜面１２ｂ、１２ｂとを含んでいる（図２（Ａ）、（Ｂ））。ただし、尾根部１２ａ、斜面１２ｂ、１２ｂは、それぞれ共通の第２の折目１４を介して上下に区分されている。また、底部１３は、左右に長い長方形の枠状の接地部１３ａを中央部に形成するとともに（図２（Ａ）、（Ｃ））、接地部１３ａの長辺側に接する屈曲線１３ｄ、１３ｄ…を介し、前後の斜面１３ｂ、１３ｂ、左右の斜面１３ｃ、１３ｃが形成されている。
【００２２】
接地部１３ａの内部は、上向きに湾曲して浅い凹状に形成されている（図３（Ａ）、（Ｂ））。そこで、浣腸容器は、接地部１３ａを介し、机上などの任意の平面上に安定に起立させることができる。
【００２３】
第１の折目１１は、山折り可能である（図４（Ａ）の実線、二点鎖線）。また、第２の折目１４は、谷折り可能であり（同図（Ｂ）の実線、二点鎖線）、屈曲線１２ｃは、平面状に伸展可能である（同図（Ｃ）の実線、二点鎖線）。ただし、図４（Ａ）〜（Ｃ）は、それぞれ図２（Ａ）のＺ1 −Ｚ1 線、Ｚ2 −Ｚ2 線、図２（Ｂ）のＺ3 −Ｚ3 線矢視相当の拡大断面動作図である。なお、図２（Ａ）の分岐点１１ａより下の分岐後の第１の折目１１についても、図４（Ａ）の第１の折目１１と同様に山折り可能であり、図２（Ｃ）の各屈曲線１３ｄについても、図４（Ｃ）の屈曲線１２ｃと同様に伸展可能である。
【００２４】
かかる浣腸容器は、キャップ２２を取り外してノズル孔２１ａを開口させた上、親指、人差指を左右の側部１２、１２に当てがい（図５（Ａ））、他の３指により底部１３を支えるようにして片手で上向きに保持し、ノズル２１を自身の肛門に挿入して親指、人差指で側部１２、１２を押圧して胴部１０を折り畳むことにより、内部の薬液の全量を排出させることができる（図５（Ｂ）、（Ｃ））。左右の側部１２、１２は、それぞれ第２の折目１４を介して谷折りされるとともに、第１の折目１１、１１を介し、それぞれの下側が底部１３の左半部上または右半部上に密接するようにして折り畳まれるからである。なお、このとき、各側部１２の上側は、互いに密接する方向に変形する。ただし、親指、人差指以外の３指による底部１３の支持形態は、図５（Ａ）〜（Ｃ）のように中指を主体としてもよく、図６（Ａ）〜（Ｃ）のように３指の全部を並行させて使用してもよい。
【００２５】
浣腸容器は、第１の折目１１、１１の前後の分岐点１１ａ、１１ａ上に親指と人差指または中指とを当てがい（図７（Ａ））、胴部１０を前後方向に押圧して弾性変形させることにより、内部の薬液の一部を排出させてもよい（図７（Ｂ）、（Ｃ））。このときの胴部１０は、前後の押圧力を除去することにより、原形状に容易に復元可能である。
【他の実施の形態】
【００２６】
胴部１０は、左右の側部１２、１２を左右に対称的に膨出させてもよい（図８）。ただし、図８（Ａ）〜（Ｄ）は、それぞれ斜視図、正面図、側面図、底面図である。
【００２７】
各側部１２は、第２の折目１４の下側の実効長さａ、上側の実効長さｃ、底部１３の左右方向の実効長さｂとして、ｃ＞ａ≒ｂ／２に設定されている（図８（Ｂ））。そこで、胴部１０は、第１の折目１１、１１、第２の折目１４、１４を介して側部１２、１２を折り畳むと（図９）、第２の折目１４、１４を介して各側部１２が９０°未満の鋭角に折られるため、原形状に復元することがない。ただし、図９（Ａ）〜（Ｃ）は、それぞれ胴部１０を折り畳んだ状態の正面図、側面図、底面図である。なお、図８、図９の胴部１０は、図１、図２の胴部１０に比して、側部１２、１２を膨出させるとともに前後方向に大きくすることにより、内容積を増大させている。ただし、図８、図９において、ｃ≦ａとしてもよい。
【産業上の利用可能性】
【００２８】
この発明は、患者自身が自分で使用する場合の他、介護者が第三者に対して使用する場合にも好適に適用することができる。
【符号の説明】
【００２９】
ａ、ｂ…実効長さ
１０…胴部
１１…第１の折目
１１ａ…分岐点
１２…側部
１３…底部
１４…第２の折目
２１…ノズル
特許出願人      イチジク製薬株式会社
伸晃化学株式会社
【図１】
0005898408.tif 000002
【図２】
0005898408.tif 000003
【図３】
0005898408.tif 000004
【図４】
0005898408.tif 000005
【図５】
0005898408.tif 000006
【図６】
0005898408.tif 000007
【図７】
0005898408.tif 000008
【図８】
0005898408.tif 000009
【図９】
0005898408.tif 000010